(57)【要約】【課題】上下２画面分割方式の液晶表示パネルを備える液晶表示装置において、表示画面上に上下２画面の継ぎ目部分が表示されるのを防止する。【解決手段】第１の領域と第２の領域とを有する液晶表示パネルと、液晶表示パネルの第１の領域に配置される１番目ないしｍ番目の走査線と、液晶表示パネルの第２の領域に配置される（ｍ＋１）番目ないし（２ｍ＋ｎ）番目の走査線と、前記１番目ないしｍ番目の走査線に１水平走査期間毎に順次選択走査電圧を供給する少なくとも１個の第１走査線駆動回路と、前記（ｍ＋１）番目ないし（ｍ＋ｎ）番目の走査線に１水平走査期間毎に順次選択走査電圧を供給する少なくとも１個の第２走査線駆動回路とを有し、前記少なくとも１個の第２走査線駆動回路は、前記第１走査線駆動回路から前記ｍ番目の走査線に対して１水平走査期間の間選択走査電圧が供給された後に、前記（ｍ＋１）番目走査線から（ｍ＋ｎ）番目の走査線まで１水平走査期間毎に順次選択走査電圧を供給する。【選択図】図１
2008070406.tif 000002
【特許請求の範囲】
【請求項１】
第１の領域と第２の領域とを有する液晶表示パネルと、
前記液晶表示パネルの前記第１の領域に配置される１番目ないしｍ番目の走査線と、
前記液晶表示パネルの前記第２の領域に配置される（ｍ＋１）番目ないし（２ｍ＋ｎ）番目の走査線と、
前記液晶表示パネルの前記第１の領域に配置される複数の第１の映像線と、
前記液晶表示パネルの前記第２の領域に配置され前記第１の映像線と同数の第２の映像線と、
前記１番目ないしｍ番目の走査線に１水平走査期間毎に順次選択走査電圧を供給する少なくとも１個の第１走査線駆動回路と、
前記（ｍ＋１）番目ないし（ｍ＋ｎ）番目の走査線に１水平走査期間毎に順次選択走査電圧を供給する少なくとも１個の第２走査線駆動回路とを有し、
前記少なくとも１個の第２走査線駆動回路は、前記第１走査線駆動回路から前記ｍ番目の走査線に対して１水平走査期間の間選択走査電圧が供給された後に、前記（ｍ＋１）番目走査線から（ｍ＋ｎ）番目の走査線まで１水平走査期間毎に順次選択走査電圧を供給することを特徴とする液晶表示装置。
【請求項２】
前記第１の映像線に映像電圧を供給する第１映像線駆動回路と、
前記第２の映像線に映像電圧を供給する第２映像線駆動回路とを有し、
前記液晶表示パネルを１つの液晶表示パネルと見なしたときに、各サブピクセルに印加される映像電圧の極性が所定の規則性を保持するように、前記１番目ないしｍ番目の走査線の中で選択走査電圧が供給される走査線の位置と、前記（ｍ＋１）番目ないし（ｍ＋ｎ）番目の走査線の中で選択走査電圧が供給される走査線の位置とに応じて、前記第１映像線駆動回路と前記第２映像線駆動回路は、同一列の第１の映像線と第２の映像線に、採用する交流化駆動方式により決定される極性の映像電圧を供給することを特徴とする請求項１に記載の液晶表示装置。
【請求項３】
ｍ＝ｎで、垂直帰線期間を前記１水平走査期間で割り算した時の値をＭとするとき、前記交流化駆動方式が１表示ライン毎に映像電圧の極性を変化させる方式の場合、（ｍ＋Ｍ）が偶数の時には、同一列の第１の映像線に供給される映像電圧の極性と、同一列の第２の映像線に供給される映像電圧の極性とは逆極性であり、
（ｍ＋Ｍ）が奇数の時には、同一列の第１の映像線に供給される映像電圧の極性と、同一列の第２の映像線に供給される映像電圧の極性とは同一極性であることを特徴とする請求項２に記載の液晶表示装置。
【請求項４】
ｍ＝ｎで、垂直帰線期間を前記１水平走査期間で割り算した時の値をＭとするとき、前記交流化駆動方式が２表示ライン毎に映像電圧の極性を変化させる方式の場合、（ｍ＋Ｍ）が偶数の時には、同一列の第１の映像線に供給される映像電圧の極性と、同一列の第２の映像線に供給される映像電圧の極性とは逆極性であり、
（ｍ＋Ｍ）が奇数の時には、同一列の第１の映像線に供給される映像電圧の極性と、同一列の第２の映像線に供給される映像電圧の極性とは、２表示ラインの一方の表示ラインのときは同一極性、２表示ラインの他方の表示ラインのときは逆極性であることを特徴とする請求項２に記載の液晶表示装置。
【請求項５】
前記交流化駆動方式が１フレーム毎に映像電圧の極性を変化させる方式の場合、同一列の第１の映像線に供給される映像電圧の極性と、同一列の第２の映像線に供給される映像電圧の極性とは逆極性であることを特徴とする請求項２に記載の液晶表示装置。
【請求項６】
表示制御装置を有し、
前記表示制御装置は、前記少なくとも１個の第１走査線駆動回路にフレーム開始指示信号を出力し、
前記少なくとも１個の第１走査線駆動回路は、前記フレーム開始指示信号を順次転送し、前記ｍ番目の走査線に１水平走査期間の間選択走査電圧を供給された後に、前記フレーム開始指示信号を、前記少なくとも１個の第２走査線駆動回路に出力することを特徴とする請求項１ないし請求項５のいずれか１項に記載の液晶表示装置。
【発明の詳細な説明】
【技術分野】
【０００１】
本発明は、液晶表示装置に係り、特に、上下２画面分割方式の液晶表示パネルを備える液晶表示装置に関する。
【背景技術】
【０００２】
アクティブ素子として薄膜トランジスタを使用するＴＦＴ（Thin Film Transistor）方式の液晶表示モジュールは高精細な画像を表示できるため、テレビ、パソコン用ディスプレイ等の表示装置として使用されている。
近年、液晶表示モジュールにおいて、高解像度、高精細な液晶表示パネルが要望されており、例えば、医療用途などでは、画素数が６Ｍの超高精細な液晶表示パネルが要望されている。
この画素数が６Ｍの超高精細な液晶表示パネルでは、走査線が、例えば、２０００本以上となり、通常の駆動方法では、ゲート選択時間が短くなり、書き込み不足が懸念される。
一方、単純マトリクス型液晶表示装置では、走査ライン数が多くなるに従いコントラストが低下するため、これを改善する方法として、液晶表示パネルを上下２画面に分割して、分割した２画面を同時に走査する方法（以下、上下２画面分割駆動方式という。）が知られている。（下記、特許文献１参照）
この上下２画面分割駆動方式を採用することにより、走査線の駆動を液晶表示パネルの上下で同時に行うことができるので、走査線が、例えば、２０００本以上の液晶表示パネルでも、ゲート選択時間を２倍の長さにすることができ、書き込み不足を解消することが可能である。
【０００３】
なお、本願発明に関連する先行技術文献としては以下のものがある。
【特許文献１】特開平５−８０７１４号公報
【発明の開示】
【発明が解決しようとする課題】
【０００４】
しかしながら、上下２画面分割駆動方式を採用した液晶表示モジュールでは、液晶表示パネルの上下２画面に分割した部分をそれぞれ独立に駆動するため、表示画面上に上下２画面の継ぎ目部分が表示され、表示品質が損なわれるという問題点があった。
本発明は、前記従来技術の問題点を解決するためになされたものであり、本発明の目的は、上下２画面分割方式の液晶表示パネルを備える液晶表示装置において、表示画面上に上下２画面の継ぎ目部分が表示されるのを防止することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）第１の領域と第２の領域とを有する液晶表示パネルと、前記液晶表示パネルの前記第１の領域に配置される１番目ないしｍ番目の走査線と、前記液晶表示パネルの前記第２の領域に配置される（ｍ＋１）番目ないし（２ｍ＋ｎ）番目の走査線と、前記液晶表示パネルの前記第１の領域に配置される複数の第１の映像線と、前記液晶表示パネルの前記第２の領域に配置され前記第１の映像線と同数の第２の映像線と、前記１番目ないしｍ番目の走査線に１水平走査期間毎に順次選択走査電圧を供給する少なくとも１個の第１走査線駆動回路と、前記（ｍ＋１）番目ないし（ｍ＋ｎ）番目の走査線に１水平走査期間毎に順次選択走査電圧を供給する少なくとも１個の第２走査線駆動回路とを有し、前記少なくとも１個の第２走査線駆動回路は、前記第１走査線駆動回路から前記ｍ番目の走査線に対して１水平走査期間の間選択走査電圧が供給された後に、前記（ｍ＋１）番目走査線から（ｍ＋ｎ）番目の走査線まで１水平走査期間毎に順次選択走査電圧を供給する。
【０００６】
（２）（１）において、前記第１の映像線に映像電圧を供給する第１映像線駆動回路と、前記第２の映像線に映像電圧を供給する第２映像線駆動回路とを有し、前記液晶表示パネルを１つの液晶表示パネルと見なしたときに、各サブピクセルに印加される映像電圧の極性が所定の規則性を保持するように、前記１番目ないしｍ番目の走査線の中で選択走査電圧が供給される走査線の位置と、前記（ｍ＋１）番目ないし（ｍ＋ｎ）番目の走査線の中で選択走査電圧が供給される走査線の位置とに応じて、前記第１映像線駆動回路と前記第２映像線駆動回路は、同一列の第１の映像線と第２の映像線に、採用する交流化駆動方式により決定される極性の映像電圧を供給する。
（３）（２）において、ｍ＝ｎで、垂直帰線期間を前記１水平走査期間で割り算した時の値をＭとするとき、前記交流化駆動方式が１表示ライン毎に映像電圧の極性を変化させる方式の場合、（ｍ＋Ｍ）が偶数の時には、同一列の第１の映像線に供給される映像電圧の極性と、同一列の第２の映像線に供給される映像電圧の極性とは逆極性であり、（ｍ＋Ｍ）が奇数の時には、同一列の第１の映像線に供給される映像電圧の極性と、同一列の第２の映像線に供給される映像電圧の極性とは同一極性である。
【０００７】
（４）（２）において、ｍ＝ｎで、垂直帰線期間を前記１水平走査期間で割り算した時の値をＭとするとき、前記交流化駆動方式が２表示ライン毎に映像電圧の極性を変化させる方式の場合、（ｍ＋Ｍ）が偶数の時には、同一列の第１の映像線に供給される映像電圧の極性と、同一列の第２の映像線に供給される映像電圧の極性とは逆極性であり、（ｍ＋Ｍ）が奇数の時には、同一列の第１の映像線に供給される映像電圧の極性と、同一列の第２の映像線に供給される映像電圧の極性とは、２表示ラインの一方の表示ラインのときは同一極性、２表示ラインの他方の表示ラインのときは逆極性である。
（５）（２）において、前記交流化駆動方式が１フレーム毎に映像電圧の極性を変化させる方式の場合、同一列の第１の映像線に供給される映像電圧の極性と、同一列の第２の映像線に供給される映像電圧の極性とは逆極性である。
（６）（１）ないし（５）の何れかにおいて、表示制御装置を有し、前記表示制御装置は、前記少なくとも１個の第１走査線駆動回路にフレーム開始指示信号を出力し、前記少なくとも１個の第１走査線駆動回路は、前記フレーム開始指示信号を順次転送し、前記ｍ番目の走査線に１水平走査期間の間選択走査電圧を供給された後に、前記フレーム開始指示信号を、前記少なくとも１個の第２走査線駆動回路に出力する。
【発明の効果】
【０００８】
本願において開示される発明のうち代表的なものによって得られる効果を簡単に説明すれば、下記の通りである。
本発明によれば、上下２画面分割方式の液晶表示パネルを備える液晶表示装置において、表示画面上に上下２画面の継ぎ目部分が表示されるのを防止することが可能となる。
【発明を実施するための最良の形態】
【０００９】
以下、図面を参照して本発明の実施例を詳細に説明する。
なお、実施例を説明するための全図において、同一機能を有するものは同一符号を付け、その繰り返しの説明は省略する。
図１は、本発明の実施例の液晶表示モジュールの概略構成を示すブロック図である。
図１において、１０は液晶表示パネルであり、液晶表示パネル１０は、第１の領域１０ａと第２の領域１０ｂの上下２画面に分割されている。
なお、液晶表示パネル１０は、画素トランジスタ、映像線、走査線などが形成されるガラス基板（ＴＦＴ基板）と、対向電極、カラーフィルタなどが形成されたガラス基板（ＣＦ基板）とをシール剤を介して貼り合わせ、ガラス基板（ＴＦＴ基板）とガラス基板（ＣＦ基板）との間に液晶を封入して形成される。さらに、ガラス基板（ＴＦＴ基板）とガラス基板（ＣＦ基板）の外側には偏光板が張り付けられる。
本実施例では、液晶表示パネル１０は、第１の領域１０ａと第２の領域１０ｂの上下２画面に分割されており、そのため、映像線が中央において、第１の映像線（Ｄａ）と、第２の映像線（Ｄｂ）の２つの分割されている以外は、従来の液晶表示パネルと同じであるので、液晶表示パネル１０の詳細な説明は省略する。
【００１０】
中央で分割されている映像線（Ｄ）は、それぞれ液晶表示パネル１０の長辺側に配置される上側映像線駆動回路３０ａと、下側映像線駆動回路３０ｂに接続される。
また、液晶表示パネル１０の第１の領域１０ａには、１番目ないしｍ番目の走査線（Ｇ）が配置され、第２の領域１０ｂには、（ｍ＋１）番目ないし（ｍ＋ｎ）番目の走査線（Ｇ）が配置される。
１番目ないしｍ番目の走査線（Ｇ）は、液晶表示パネル１０の短辺側に配置される上側走査線駆動回路４０ａに接続され、上側走査線駆動回路４０ａにより、（ｍ＋１）番目ないし（ｍ＋ｎ）番目の走査線（Ｇ）とは独立して駆動される。
（ｍ＋１）番目ないし（ｍ＋ｎ）番目の走査線（Ｇ）は、下側走査線駆動回路４０ｂに接続され、下側走査線駆動回路４０ｂにより、１番目ないしｍ番目の走査線（Ｇ）とは独立して駆動される。
なお、上側映像線駆動回路３０ａと、下側映像線駆動回路３０ｂは、図１に示すように、複数個（図１では、５個のドレインドライバ３）で構成され、上側走査線駆動回路４０ａと、下側走査線駆動回路４０ｂは、図１に示すように、複数個（図１では、３個のゲートドライバ４）で構成される。
表示制御装置１は、上側映像線駆動回路３０ａと下側映像線駆動回路３０ｂに対して、表示データ、スタートパルス、交流化信号（Ｍ）、表示データラッチ用クロック（ＣＬ２）、出力タイミング制御用クロック（ＣＬ１）等を出力し、上側映像線駆動回路３０ａと下側映像線駆動回路３０ｂを制御駆動する。
また、表示制御装置１は、上側走査線駆動回路４０ａと下側走査像線駆動回路３０ｂに対して、フレーム開始指示信号、シフトクロック（ＣＬ３）等を出力し、上側走査線駆動回路４０ａと下側走査線駆動回路４０ｂを制御駆動される
【００１１】
本実施例の液晶表示モジュールは、上下２画面分割駆動方式を採用しているが、液晶表示パネル１０の表示画面上に上下２画面の継ぎ目部分が表示されないようにするためには、以下の２点の駆動方法が必要となる。
（１）前段と自段のゲート線、または、自段と後段のゲート線と、各サブピクセルの薄膜トランジスタ（ＴＦＴ）のソース電極間の寄生容量を介して発生する充放電に差が生じて、画素電極の電位に差が生じるのを防止するために、第１番目の走査線から第（ｍ＋ｎ）番目の走査線、あるいは、第（ｍ＋ｎ）番目の走査線から第１番目の走査線に、同じ周期で順次選択走査電圧を供給する必要がある。
（２）液晶表示パネル１０の各サブピクセルの画素電極に印加する映像電圧極性に、一定の規則性を持つ必要がある。１フレーム反転、１ライン反転、２ライン反転、あるいはドット反転駆動法は、この規則性を満たしている。
【００１２】
そこで、本実施例では、第１番目の走査線から第（ｍ＋ｎ）番目の走査線に、１水平走査期間毎に、順次選択走査電圧を供給するようにしている。
本実施例の、走査線に選択走査電圧を供給する方法を図２を用いて説明する。
なお、図２では、液晶表示パネル１０の第１の領域１０ａおよび第２の領域１０ｂの走査線（Ｇ）は、それぞれ６本（ｍ＝ｎ＝６）の場合について説明する。
また、図２において、Ｔは時間、Ｔ１〜Ｔ１９は１水平走査期間を表している。また、Ｂは垂直帰線期間を表し、図２では、垂直帰線期間は１水平走査期間と等しいものと仮定している。
本実施例では、１番目ないし６番目の走査線（Ｇ）に、Ｔ１〜Ｔ６の期間に、それぞれ選択走査電圧が供給され、その後、液晶表示パネル１０の第１の領域１０ａは垂直帰線期間Ｂとなる。
７番目の走査線（Ｇ）には、時刻Ｔ７において、６番目の走査線（Ｇ）に１水平走査期間選択走査電圧が供給された後に選択走査電圧が供給され、順次、Ｔ７〜Ｔ１２の期間に、７番目ないし１２番目の走査線（Ｇ）にそれぞれ選択走査電圧が供給される。
したがって、液晶表示パネル全体で見れば、第１番目の走査線から第１２番目の走査線に、図２の斜線Ａで示すように、１水平走査期間毎に、順次選択走査電圧を供給されることになる。
【００１３】
なお、図２において、ＴＦＬは１フレーム期間を示し、図２から分かるように、液晶表示パネル１０の第１の領域１０ａと第２の領域１０ｂは、１フレーム期間（ＴＦＬ）単位で駆動されるが、液晶表示パネル全体で見れば、２フレーム期間単位で駆動されることになる。
本実施例の前述した駆動方法を実現するためには、フレーム開始指示信号（ＦＬＭ）を、上側走査線駆動回路４０ａに入力し、上側走査線駆動回路４０ａ内において、このフレーム開始指示信号（ＦＬＭ）を順次転送した後、上側走査線駆動回路４０ａから下側走査線駆動回路４０ｂに入力するようにすればよい。
但し、実際は、上側走査線駆動回路４０ａおよび下側走査線駆動回路４０ｂは、複数のゲートドライバ４で構成されるので、フレーム開始指示信号（ＦＬＭ）は、各ゲートドライバ４内を順次転送し、次段のゲートドライバ４に入力される。
また、前述の説明では、１番目から１２番目の走査線（Ｇ）に、１水平走査期間毎に、順次選択走査電圧を供給するようにしたが、１２番目から１番目の走査線（Ｇ）に、１水平走査期間毎に、順次選択走査電圧を供給するようにしてもよい。
【００１４】
次に、本実施例において、液晶表示パネル１０の各サブピクセルの画素電極に印加する映像電圧の極性に一定の規則性を持たせる方法について説明する。
本実施例では、液晶表示パネルを１つの液晶表示パネルと見なしたときに、各サブピクセルに印加される映像電圧の極性が所定の規則性を保持するように、１番目ないしｍ番目の走査線の中で選択走査電圧が供給される走査線の位置と、（ｍ＋１）番目ないし（ｍ＋ｎ）番目の走査線の中で選択走査電圧が供給される走査線の位置とに応じて、第１映像線駆動回路３０ａと第２映像線駆動回路３０ｂは、同一列の第１の映像線（Ｄａ）と第２の映像線（Ｄｂ）に、採用する交流化駆動方式により決定される極性の映像電圧を供給するようにしている。
以下、１フレーム反転、１ライン反転、２ライン反転、あるいはドット反転駆動法の各交流化駆動方式を採用した場合に、第１映像線駆動回路３０ａと第２映像線駆動回路３０ｂから、同一列の第１の映像線（Ｄａ）と、同一列の第２の映像線（Ｄｂ）に供給する映像電圧の極性について説明する。
【００１５】
図３−１、図３−２は、本実施例において、１ライン反転（ドット反転を含む）駆動法を採用した場合に、同一列の第１の映像線（Ｄａ）と、同一列の第２の映像線（Ｄｂ）に供給する映像電圧波形を示す図である。
図３−１は、液晶表示パネル１０の第１の領域１０ａおよび第２の領域１０ｂの走査線（Ｇ）の本数と、垂直帰線期間（Ｂ）を１水平走査期間で割り算した時の値（Ｍ）とを加算した値が奇数の場合を示し、同図（ａ）は、液晶表示パネル１０の第１の領域１０ａおよび第２の領域１０ｂの走査線（Ｇ）の本数が、それぞれ６本（ｍ＝ｎ＝６）で、垂直帰線期間（Ｂ）を１水平走査期間で割り算した時の値（Ｍ）が１（Ｍ＝１）の場合を示している。
図３−１において、液晶を交流駆動するため、ａで示す１番目の走査線が選択されたときに、この走査線により選択されるサブピクセルに印加される映像電圧の極性と、ｂで示す１番目の走査線が選択されたときに、この走査線により選択されるサブピクセルに印加される映像電圧の極性とは逆極性、ｃで示す７番目の走査線が選択されたときに、この走査線により選択されるサブピクセルに印加される映像電圧の極性と、ｄで示す７番目の走査線が選択されたときに、この走査線により選択されるサブピクセルに印加される映像電圧の極性とは逆極性でなければならない。
【００１６】
また、極性反転の規則性を保つため、液晶表示パネル１０の第１の領域１０ａの６番目の走査線が選択されたときに、この走査線により選択されるサブピクセルに印加される映像電圧の極性と、次のタイミングで、液晶表示パネル１０の第２の領域１０ｂの７番目の走査線が選択されたときに、この走査線により選択されるサブピクセルに印加される映像電圧の極性とは逆極性でなければならない。
したがって、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性とは同一極性とする必要がある。
即ち、図３−１（ａ）の条件下では、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性とは同一極性とする必要がある。
【００１７】
図３−１（ｂ）は、液晶表示パネル１０の第１の領域１０ａおよび第２の領域１０ｂの走査線（Ｇ）の本数が、それぞれ５本（ｍ＝ｎ＝５）で、垂直帰線期間（Ｂ）を１水平走査期間で割り算した時の値（Ｍ）が２（Ｍ＝２）の場合を示している。
図３−１（ｂ）の条件下において、１ライン反転駆動方法を採用し、液晶の交流駆動と、極性反転の規則性を保つことを考えると、図３−１（ｂ）に示すように、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性とは同一極性とする必要がある。
即ち、液晶表示パネル１０の第１の領域１０ａおよび第２の領域１０ｂの走査線（Ｇ）の本数と、垂直帰線期間（Ｂ）を１水平走査期間で割り算した時の値（Ｍ）とを加算した値が奇数の場合は、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性とは同一極性とする必要がある。
【００１８】
図３−２は、液晶表示パネル１０の第１の領域１０ａおよび第２の領域１０ｂの走査線（Ｇ）の本数と、垂直帰線期間（Ｂ）を１水平走査期間で割り算した時の値（Ｍ）とを加算した値が偶数の場合を示し、同図（ａ）は、液晶表示パネル１０の第１の領域１０ａおよび第２の領域１０ｂの走査線（Ｇ）の本数が、それぞれ６本（ｍ＝ｎ＝６）で、垂直帰線期間（Ｂ）を１水平走査期間で割り算した時の値（Ｍ）が２（Ｍ＝２）の場合を示している。
同図（ｂ）は、液晶表示パネル１０の第１の領域１０ａおよび第２の領域１０ｂの走査線（Ｇ）の本数が、それぞれ５本（ｍ＝ｎ＝５）で、垂直帰線期間（Ｂ）を１水平走査期間で割り算した時の値（Ｍ）が２（Ｍ＝２）の場合を示している。
図３−２の条件下において、１ライン反転駆動方法を採用し、液晶の交流駆動と、極性反転の規則性を保つことを考えると、図３−２に示すように、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性とは逆極性とする必要がある。
【００１９】
図４−１、図４−２は、本実施例において、２ライン反転駆動法を採用した場合に、同一列の第１の映像線（Ｄａ）と、同一列の第２の映像線（Ｄｂ）に供給する映像電圧波形を示す図である。なお、図４−１、図４−２では、２番目の走査線から２ライン毎に反転させる場合について図示している。
図４−１は、液晶表示パネル１０の第１の領域１０ａおよび第２の領域１０ｂの走査線（Ｇ）の本数と、垂直帰線期間（Ｂ）を１水平走査期間で割り算した時の値（Ｍ）とを加算した値が奇数の場合を示し、同図（ａ）は、液晶表示パネル１０の第１の領域１０ａおよび第２の領域１０ｂの走査線（Ｇ）の本数が、それぞれ６本（ｍ＝ｎ＝６）で、垂直帰線期間（Ｂ）を１水平走査期間で割り算した時の値（Ｍ）が１（Ｍ＝１）の場合を示している。
同図（ｂ）は、液晶表示パネル１０の第１の領域１０ａおよび第２の領域１０ｂの走査線（Ｇ）の本数が、それぞれ５本（ｍ＝ｎ＝６）で、垂直帰線期間（Ｂ）を１水平走査期間で割り算した時の値（Ｍ）が２（Ｍ＝２）の場合を示している。
図４−１の条件下において、２ライン反転駆動方法を採用し、液晶の交流駆動と、極性反転の規則性を保つことを考えると、図４−１に示すように、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性は、１ライン分位相をずらす必要がある。
【００２０】
図４−２は、液晶表示パネル１０の第１の領域１０ａおよび第２の領域１０ｂの走査線（Ｇ）の本数と、垂直帰線期間（Ｂ）を１水平走査期間で割り算した時の値（Ｍ）とを加算した値が偶数の場合を示し、同図（ａ）は、液晶表示パネル１０の第１の領域１０ａおよび第２の領域１０ｂの走査線（Ｇ）の本数が、それぞれ６本（ｍ＝ｎ＝６）で、垂直帰線期間（Ｂ）を１水平走査期間で割り算した時の値（Ｍ）が２（Ｍ＝２）の場合を示している。
同図（ｂ）は、液晶表示パネル１０の第１の領域１０ａおよび第２の領域１０ｂの走査線（Ｇ）の本数が、それぞれ７本（ｍ＝ｎ＝７）で、垂直帰線期間（Ｂ）を１水平走査期間で割り算した時の値（Ｍ）が１（Ｍ＝１）の場合を示している。
図４−２の条件下において、２ライン反転駆動方法を採用し、液晶の交流駆動と、極性反転の規則性を保つことを考えると、図４−２に示すように、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性は逆極性とする必要がある。
【００２１】
図５−１、図５−２は、本実施例において、１フレーム反転駆動法を採用した場合に、同一列の第１の映像線（Ｄａ）と、同一列の第２の映像線（Ｄｂ）に供給する映像電圧波形を示す図である。
図５−１は、液晶表示パネル１０の第１の領域１０ａおよび第２の領域１０ｂの走査線（Ｇ）の本数と、垂直帰線期間（Ｂ）を１水平走査期間で割り算した時の値（Ｍ）とを加算した値が奇数の場合を示し、同図（ａ）は、液晶表示パネル１０の第１の領域１０ａおよび第２の領域１０ｂの走査線（Ｇ）の本数が、それぞれ６本（ｍ＝ｎ＝６）で、垂直帰線期間（Ｂ）を１水平走査期間で割り算した時の値（Ｍ）が１（Ｍ＝１）の場合を示している。
同図（ｂ）は、液晶表示パネル１０の第１の領域１０ａおよび第２の領域１０ｂの走査線（Ｇ）の本数が、それぞれ７本（ｍ＝ｎ＝７）で、垂直帰線期間（Ｂ）を１水平走査期間で割り算した時の値（Ｍ）が２（Ｍ＝２）の場合を示している。
【００２２】
図５−２は、液晶表示パネル１０の第１の領域１０ａおよび第２の領域１０ｂの走査線（Ｇ）の本数と、垂直帰線期間（Ｂ）を１水平走査期間で割り算した時の値（Ｍ）とを加算した値が偶数の場合を示し、同図（ａ）は、液晶表示パネル１０の第１の領域１０ａおよび第２の領域１０ｂの走査線（Ｇ）の本数が、それぞれ６本（ｍ＝ｎ＝６）で、垂直帰線期間（Ｂ）を１水平走査期間で割り算した時の値（Ｍ）が２（Ｍ＝２）の場合を示している。
同図（ｂ）は、液晶表示パネル１０の第１の領域１０ａおよび第２の領域１０ｂの走査線（Ｇ）の本数が、それぞれ７本（ｍ＝ｎ＝７）で、垂直帰線期間（Ｂ）を１水平走査期間で割り算した時の値（Ｍ）が１（Ｍ＝１）の場合を示している。
１フレーム反転駆動方法を採用し、液晶の交流駆動と、極性反転の規則性を保つことを考えると、図５−１、図５−２に示すように、液晶表示パネル１０の第１の領域１０ａの同一列の第１の映像線（Ｄａ）に供給する映像電圧の極性と、液晶表示パネル１０の第２の領域１０ｂの同一列の第２の映像線（Ｄｂ）に供給する映像電圧の極性とは逆極性とする必要がある。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２３】
【図１】本発明の実施例の液晶表示モジュールの概略構成を示すブロック図である。
【図２】本発明の実施例における、走査線に選択走査電圧を供給する方法を説明する図である。
【図３−１】本発明の実施例において、１ライン反転（ドット反転を含む）駆動法を採用した場合に、同一列の第１の映像線（Ｄａ）と、同一列の第２の映像線（Ｄｂ）に供給する映像電圧波形を示す図である。
【図３−２】本発明の実施例において、１ライン反転（ドット反転を含む）駆動法を採用した場合に、同一列の第１の映像線（Ｄａ）と、同一列の第２の映像線（Ｄｂ）に供給する映像電圧波形を示す図である。
【図４−１】本発明の実施例において、２ライン反転駆動法を採用した場合に、同一列の第１の映像線（Ｄａ）と、同一列の第２の映像線（Ｄｂ）に供給する映像電圧波形を示す図である。
【図４−２】本発明の実施例において、２ライン反転駆動法を採用した場合に、同一列の第１の映像線（Ｄａ）と、同一列の第２の映像線（Ｄｂ）に供給する映像電圧波形を示す図である。
【図５−１】本発明の実施例において、１フレーム反転駆動法を採用した場合に、同一列の第１の映像線（Ｄａ）と、同一列の第２の映像線（Ｄｂ）に供給する映像電圧波形を示す図である。
【図５−２】本発明の実施例において、１フレーム反転駆動法を採用した場合に、同一列の第１の映像線（Ｄａ）と、同一列の第２の映像線（Ｄｂ）に供給する映像電圧波形を示す図である。
【符号の説明】
【００２４】
１  表示制御装置
３  ドレインドライバ（またはソースドライバ）  
４  ゲートドライバ
１０  液晶表示パネル
１０ａ  第１の領域
１０ｂ  第２の領域
Ｄａ，Ｄｂ  映像線（ソース線またはドレイン線）
Ｇ  走査線（ゲート線）
３０ａ，３０ｂ  映像線駆動回路
４０ａ，４０ｂ  走査線駆動回路
【図１】
2008070406.tif 000003
【図２】
2008070406.tif 000004
【図３−１】
2008070406.tif 000005
【図３−２】
2008070406.tif 000006
【図４−１】
2008070406.tif 000007
【図４−２】
2008070406.tif 000008
【図５−１】
2008070406.tif 000009
【図５−２】
2008070406.tif 000010